Podtech/llm-jp-corpus-v4-ja_patent huggingface dataset:
(57)【要約】      （修正有）【課題】常温保存及び冷凍保存する密閉容器内の食品等に発生するカビを予防する嫌黴物質容器を提供する。【解決手段】嫌黴物質容器は、練わさび４、練からし等を樹脂製容器本体１に収納し、容器本体１の上部に穴や切り欠き部のある中蓋２を貼り付け、その上部に薄膜状上蓋３を容易に剥離できる状態で貼り付けて容器本体１を密封したもので、薄膜状上蓋３を剥離して練わさび４、練からし等の嫌黴機能を簡単に発揮させ得る。通常一般家庭で使用されている密閉容器内や冷蔵庫内で食品などと非接触で嫌黴性物質（“わさび”、“からし”等）を容易に設置できるようにして、カビの発生を抑制する。【選択図】図１
0003229851.tif 000002
【実用新案登録請求の範囲】
【請求項１】
”練わさび“、”練からし“等を樹脂製容器に収納し、その容器の上部に”穴や切り欠き部のある中蓋“を貼り付け、更にその上部に”薄膜状上蓋“を容易に剥離できる状態で貼り付けて容器を密封したもので、最上部の”薄膜状上蓋“を剥離して”練わさび“”練からし“等の嫌黴機能を簡単に発揮させ得るのが特徴である。
【考案の詳細な説明】
【技術分野】
【０００１】本考案は、容易に嫌黴機能を発揮できるように、“練わさび”、“練からし”等を保存した容器である。
【背景技術】
【０００２】  防カビのため、常温又は冷蔵庫で食品を保存するとき、“練わさび”や“練からし”等を防カビ剤として使用する事がある、しかし保存する食品に“練わさび”や“練からし”等が  接触付着するなど、取り扱いが煩わしいため、“練わさび”や“練からし”等が防カビ材として使用されることが少ない。
【先行技術文献】
【特許文献】
【非特許文献】
【０００３】
【非特許文献１】「三菱ケミカルフーズ株式会社ホームページ⇒製品情報⇒抗菌鮮度保持剤⇒ワサオールＦＮ⇒“わさびの守り神”」
【非特許文献２】「パナソニック⇒エアコン部品⇒ＣＺ−ＳＷ６Ａ“カビストッパー」
【非特許文献３】「日立製作所⇒エアコン部材⇒ＳＰＷＣ１“防カビわさびカセット”」
【考案の概要】
【考案が解決しようとする課題】
【０００４】  “わさび”、“からし”等を“防カビ”材として使用する場合、その状態は固形、粉末、練、基材へ含侵等があるがコストと使用の便利さから練が一番良い、しかし皿などに“ねりわさび”や“練からし“を置いて使用するとき、食品との接触が予想され、それを避けるために置き位置と置き姿勢に制約がある。本考案の“容器入りの練わさび”は容器の薄膜状上蓋をはがしていかなる場所にも置けて、”穴や切り欠き部のある中蓋“により、“練わさび”の漏出も防止でき中蓋の隔離機能により容器収納物との接触付着が防止できる為、置き姿勢も自由であり、本容器の裏底に両面テープを使用すれば冷蔵庫内の側面、上面にも設置できる。
【課題を解決するための手段】
【０００５】  本考案は樹脂製容器内に“練わさび”を収納し、その容器の上面に”穴や切り欠き部のある中蓋“を貼り付け、更にその上に容易にはがせる“薄膜状上蓋”を貼り付け、“練わさび”の漏出が無い様に完全密閉したことが特色である。
その“薄膜状上蓋”を剥離して”穴や切り欠き部のある中蓋“を露出させ、その中蓋により”わさび”と食品の接触を防止し、中蓋の穴や切り欠きを通して“わさび”の防カビ成分が昇華して、本容器の設置された周囲に防カビ物質を充満させる。
【考案の効果】
【０００６】  上述の様に、安価で使用性と性能の良い容器の“薄膜状上蓋”をサット剥がし、密閉容器の内部や冷蔵庫内、等々何処にでも直ぐ設置でき、あらゆる場所に“防カビ”の環境が作れ、食中毒やアレルギーが防止できる。この“容器入りの練わさび”は構造が簡単で“練わさび”がすでに収納されている為、使用が簡単で低価格であることも特徴である。
【図面の簡単な説明】
【０００７】
【図１】  容器本体に“練わさび”が収納され、その上部に”穴や切り欠き部のある中蓋“と”薄膜状上蓋“が設置された本考案の実施例を示す概略図である。
【考案を実施するための形態】
【０００８】  容器本体に“練わさび”を収納し、容器本体の上部に”穴や切り欠き部のある中蓋“を密着設置し、その上部に“薄膜状上蓋”を容易に剥離できる様に貼り付けて密封をされている。
【実施例】
【０００９】  使用する場合は最上部の“薄膜状上蓋”を剥離除去して、”穴や切り欠き部のある中蓋“を露出させた後に、食品などの入った密閉容器や冷蔵庫内に設置する。その後時間の経過とともに、その穴や切り欠きを通して容器に収納された“練わさび”の防カビ物質が周囲に昇華拡散される。【００１０】  通常は平面置きで使用するが“練わさび入り容器”の底面に両面テープなどを使用すれば、使用する場所のあらゆる面に貼り付けて使用できる。
【符号の説明】１  容器本体
２  ”穴や切り欠き部のある中蓋“
３  “薄膜状上蓋”
４  “練わさび
【図１】
0003229851.tif 000003
【手続補正書】
【提出日】令和2年9月16日(2020.9.16)
【手続補正１】
【補正対象書類名】実用新案登録請求の範囲
【補正対象項目名】全文
【補正方法】変更
【補正の内容】
【実用新案登録請求の範囲】
【請求項１】
”練わさび“、”練からし“等を樹脂製容器に収納し、その容器の上部に”穴や切り欠き部のある中蓋“を貼り付け、更にその上部に”薄膜状上蓋“を容易に剥離できる状態で貼り付けて容器を密封したもので、最上部の”薄膜状上蓋“を剥離して”練わさび“”練からし“等の嫌黴機能を簡単に発揮させ得る嫌黴物質容器。
(57)【要約】      （修正有）【課題】マスク装着による息苦しさを軽減するパイプ付きマスクを提供する。【解決手段】パイプ付きマスクは、軟質パイプを飛沫防止用マスクの顔に接する面の鼻の下と唇の間、若しくは鼻に掛かるように配置し、両端は唇の外側を通りマスク最下部に取り付ける。マスクに軟質パイプを取り付ける事によって、口の周り、並びに、顎下に隙間を作る。【選択図】図１
0003229853.tif 000002
【実用新案登録請求の範囲】
【請求項１】
呼気と外気を循環させる為に、マスクに軟質パイプを取り付ける。
【考案の詳細な説明】
【技術分野】
【０００１】
本考案は、マスク装着時にマスク下部に通気口を設けたものである。
【背景技術】
【０００２】
飛沫防止としてマスクを装着した時に通常のマスクでは口の周りをマスクの布地が覆い、呼気と外気の循環がし難くなる。
【０００３】
マスク下部も顎を覆うように装着する為に、顎下部分を通して呼気と外気を入れ替えする事は、ほぼ不可能である。
【考案の概要】
【考案が解決しようとする課題】
【０００４】
飛沫防止効果を維持しつつ、マスク装着による息苦しさの軽減。
【課題を解決するための手段】
【０００５】
本考案は、軟性パイプをマスク内面の鼻の下と上唇の間、若しくは、鼻に掛かるように配置し、軟性パイプの両端は唇の外側を通りマスク最下部に取り付ける事によって、マスクと口の間に空間を作り、軟性パイプの厚みにより顎とマスク生地の間に隙間を作り、呼気と外気の循環が出来るようにする。
【考案の効果】
【０００６】
本考案のパイプ付きマスクは飛沫飛散防止効果を保ちながら、顎下に隙間を作る事によって、呼気と外気が循環され、マスク装着による息苦しさが軽減される。
【図面の簡単な説明】
【０００７】
【図１】図１はマスクに軟質パイプを取り付けた写真である。
【図２】図２パイプ付きマスクのパイプの内側に短いパイプを取り付けて、顎下の隙間を広げると共に、パイプ自体も空気が抜ける為、より一層呼吸し易くなった写真である。
【考案を実施するための形態】
【０００８】
既存のマスクと軟性パイプを用いて製作したが、パイプを取り付けたマスクの製作ならびに既存のマスクに装着するパイプ製品の作成。
【実施例】
【０００９】
飛沫感染による感染症予防の為、長時間のマスク装着が必要ある時。
【００１０】
授業やスポーツの指導で、生徒や指導を受ける側と対面状態になり話しをする時。
【００１１】
散歩やジョギング等の軽い運動をする時。
【図１】
0003229853.tif 000003
【図２】
0003229853.tif 000004
【手続補正書】
【提出日】令和2年9月16日(2020.9.16)
【手続補正１】
【補正対象書類名】実用新案登録請求の範囲
【補正対象項目名】全文
【補正方法】変更
【補正の内容】
【実用新案登録請求の範囲】
【請求項１】
軟質パイプを飛沫防止用マスクの顔に接する面の鼻の下と唇の間、若しくは鼻に掛かるように配置し、両端は唇の外側を通りマスク最下部に取り付けるパイプ付きマスク。
(57)【要約】      （修正有）【課題】視覚障害者、発達障害者、教育障害者の人達が、集中して勉学できる、暗所で光る教材を提供する。【解決手段】赤色、黄色、青色からなる紫外線発光蛍光トナー及び黒色トナ−で印刷された、絵本または学習カードを特徴とする障害者用教材である。紫外線で光る蛍光トナ−を使用する事で、暗い場所でも見る事が出来、教材を活用出来る。【選択図】図１
0003229855.tif 000002
【実用新案登録請求の範囲】
【請求項１】
赤色、黄色、青色からなる紫外線発光蛍光トナー及び黒色トナ−をセットし、プリンターを用いて印刷した、絵本または学習カードであることを特徴とする障害者用教材。
【考案の詳細な説明】
【技術分野】
【０００１】  本考案は暗所にてより集中出来る就学効果の高い教材に関するものである
【背景技術】
【０００２】  幼児から小学生、中学生、高校生の学童に使用されている従来の教材は暗所においては見えない為に明るい場所においてのみ使用されている。【０００３】  しかし、明るい場所はまぶしくて就学が困難な視覚障害者の人たちの教材においても、同様に暗所においては見えない為に明るい場所においてのみ使用されている。【０００４】  さらに、発達障害や教育障害等で一般の学童と一緒に就学が困難な学童においても、こころが落ち着く暗所では教材の内容が見えない為、集中力が欠ける明るい場所においてのみ使用されている。
【考案の概要】
【考案が解決しようとする課題】
【０００５】  以上に述べた従来の明るい場所で使用されている教材では、視覚障害者の人達にとっては目に光が入りすぎ読みづらい教材となっている。【０００６】  又、発達障害者や教育障害者の人達にとっても、従来の教材は明所で使用される為集中出来ない児童が多く、就学の効果に問題があった。【０００７】  さらに、一般の学童においても明所より暗所の方がより集中出来る学童がおり、暗所で活用出来る教材が求められていた。【０００８】  本考案は、このような従来の教材が有している問題を解決しようとするものであり、暗所において教材が光ることにより集中して勉学が出来る教材を提供することを目的としている。
【課題を解決するための手段】
【０００９】  そして、本考案は上記目的を達成する為に鋭意研究を重ねた結果、暗所で紫外線を当てると光る蛍光トナ−で印刷した教材を開発するに至ったものである。
この蛍光印刷は、蛍光トナ−を使用してレ−ザ−プリンタやＬＥＤプリンタで印刷するものである。
この蛍光トナ−は紫外線を当てると光る為、印刷された教材の内容が暗所においてもはっきり見え、より集中出来る事で学習の効果が期待出来るものである。【００１０】  学習方法として部屋の蛍光灯の代わりにブラックライトと呼ばれる紫外線ライトを設置し、ブラックライトの光の下で本発明の光る教材を使用して学習する。教材のみが光るので非常に集中して学習する事が出来る。
【考案の効果】
【００１１】  本考案は以上説明したように、暗所にて教材が光るので、非常に教材に集中する事が出来学習効果のアップに利用出来る。
【図面の簡単な説明】
【００１２】
【図１】紫外線で光る教材（ひかる絵本：花咲爺さん）を示す図
【考案を実施するための形態】
【００１３】  カラ−プリンタで蛍光トナ−を利用して印刷し、簡単に早く教材を作る事が出来た。そして暗所で紫外線を当てて光る教材として実現出来た。
【実施例１】
【００１４】  カラ−プリンタＲＩＣＯＨ  ＳＰ  Ｃ７５０の中に蛍光トナ−赤、黄、青色と一般の黒トナ−をセットし、昔ばなしの「桃太郎」「浦島太郎」「花咲爺さん」「猿蟹合戦」「鶴の恩返し」を印刷して光る絵本の教材を作成した。
暗所にて光る絵本に紫外線を当てると非常に綺麗に発光した。
【実施例２】
【００１５】  カラ−プリンタＲＩＣＯＨ  ＳＰ  Ｃ７５０の中に蛍光トナ−赤、黄、青色と一般の黒トナ−をセットし、アルファベットの学習の為、ＡＢＣカ−ドを印刷して光るＡＢＣカ−ドの教材を作成した。
暗所にて光るＡＢＣカ−ドに紫外線を当てると非常に綺麗に発光した。
【実施例３】
【００１６】  カラ−プリンタＲＩＣＯＨ  ＳＰ  Ｃ７５０の中に蛍光トナ−赤、黄、青色と一般の黒トナ−をセットし、ひらがなの学習の為、ひらがなカ−ドを印刷して光るひらがなカ−ドの教材を作成した。
暗所にて光るひらがなカ−ドに紫外線を当てると非常に綺麗に発光した。
【実施例４】
【００１７】  カラ−プリンタＲＩＣＯＨ  ＳＰ  Ｃ７５０の中に蛍光トナ−赤、黄、青色を一般の黒トナ−をセットし、ロ−マ字の学習の為、ロ−マ字カ−ドを印刷して光るロ−マ字カ−ドの教材を作成した。
暗所にて光るロ−マ字カ−ドに紫外線を当てると非常に綺麗に発光した。
【実施例５】
【００１８】  カラ−プリンタＲＩＣＯＨ  ＳＰ  Ｃ７５０の中に蛍光トナ−赤、黄、青色と一般の黒トナ−をセットし、足し算、引き算、掛け算、割り算の数学の学習の為、数字カ−ドを印刷して光る数字カ−ドの教材を作成した。
暗所にて光る数字カ−ドに紫外線を当てると非常に綺麗に発光した。
【産業上の利用可能性】
【００１９】  本考案の教材は、一般の学童から障害のある視覚障害者、発達障害者、学習障害者の人達の教材に利用することが出来る。
【図１】
0003229855.tif 000003
【手続補正書】
【提出日】令和2年9月23日(2020.9.23)
【手続補正１】
【補正対象書類名】実用新案登録請求の範囲
【補正対象項目名】全文
【補正方法】変更
【補正の内容】
【実用新案登録請求の範囲】
【請求項１】
赤色、黄色、青色からなる紫外線発光蛍光トナー及び黒色トナ−で印刷された、絵本または学習カードであることを特徴とする障害者用教材。
(57)【要約】      （修正有）【課題】裏返し作業が容易で、使い捨てされることなく節約に役立つ手袋裏返し具を提供する。【解決手段】太さの違うプラスチック等の丸棒１、２から構成され、それぞれ台座３があり、先端部分に凹状、凸状の加工がされている手袋裏返具である。手袋の指先を二本の丸棒で直線状に挟み、下方に滑らすように丸棒１から丸棒２へ移動させることにより、容易にかつ短時間で手袋を裏返すことができる。【選択図】図７
0003229856.tif 000002
【実用新案登録請求の範囲】
【請求項１】
本考案は太さの違うプラスチック製等の丸棒二本構成から成り、それぞれの先端を凹凸状に加工しており、凹凸状の先端を合わせて一直線の状態で使用する手袋裏返し具である。また使用時の安定性を保つための四角形の台座を設けている。
【考案の詳細な説明】
【技術分野】
【０００１】  本考案はゴム製の厚手の手袋を裏返すのに時間がかかり苦労することを解決するため考案した手袋裏返し具である。
【背景技術】
【０００２】  現在、作業用手袋は建設業、製造業、運送業、農作業、家庭等々様々な分野で数多く使われている。しかし作業用手袋は厚手のゴム製や背抜きのゴム製等で通気性がなく、使用すると直ぐに汗や汚れで嫌な臭いや雑菌の繁殖で不衛生になる。気持ち良く作業するためには使用後直ぐに裏返して内側をこまめに洗う必要があるが、今まで簡単に裏返す方法がなく、裏返すことが難しくまた時間がかかったりして多くの人が臭いを我慢して使用したり、使い捨てにしたりしている現状である。
【考案の概要】
【考案が解決しようとする課題】
【０００３】  本考案は、前述のよう多くの分野で数多く使われている作業用手袋が裏返すことが難しく、時間がかかって大変だという問題、また使い捨てされているという問題を解決しようとするものである。
【課題を解決するための手段】
【０００４】  本考案は太さの違うプラスチック製等の丸棒二本から構成されている。二本の丸棒は先端が凹凸状になっており、手袋の指を凹凸部で挟み、一直線の棒にして（図２）手袋を裏返す手袋裏返し具である。
【考案の効果】
【０００５】本考案により、今まで大変だった裏返し作業が容易になり、嫌だった洗濯も楽しくなり、毎日清潔な手袋で気持ちよく仕事ができるようになる。また使い捨てせずに長持ちするようになり費用の節約に役立つ。
【図面の簡単な説明】
【０００６】
【図１】  本考案の全体の構成を表す図である。
【図２】  図１に示した一方の棒を表わす図である。
【図３】  図１に示した他方の棒を表わす図である。
【図４】  図１に示した裏返し具の使用方法を説明する図である。
【図５】  図４に続く使用方法を説明する図である。
【図６】  図５に続く使用方法を説明する図である。
【図７】  図６に続く使用方法を説明する図である。
【考案を実施するための形態】
【０００７】本考案の形態について説明する。図１に示すように、本考案はプラスチック製等の太さの違う二本の丸棒から構成されており、手袋の指先を二本の丸棒で一本の直線状に挟むことにより一方（１）から他方（２）へ移動裏返していく裏返し具である。丸棒の寸法は丸棒（太）（１）は直径１．５ｃｍ、長さ２０ｃｍ、先端凹部（４）は直径１ｃｍ、深さ０．５ｃｍ、台座（３）は縦横４ｃｍ、厚さ１ｃｍ、丸棒（細）（２）は直径１ｃｍ、長さ２０ｃｍ、先端凸部（５）は直径０．７ｃｍ、高さ０．５ｃｍ、台座（３）は縦横４ｃｍ、厚さ１ｃｍである。
【実施例】
【０００８】  以下本考案の実施例を図面を参照にして詳細に説明する。図４に示すように、手袋の袖口を数ｃｍ折り曲げ、手袋の指に丸棒（太）（１）を差し込む。差し込んだ指は左手で包み込むように握る。ここは大事なポイントである。【０００９】図５は机など平面に立てた丸棒（細）（２）の先端に丸棒（太）（１）の先端を合わせた状態を示している。【００１０】図６に示すように、合わせた二本の丸棒がズレないように右手で一直線状態に保持し、図４で握った左手を滑らすように下方に下げていくと、手袋の指は丸棒（１）から丸棒（２）へ裏返りながら少しずつ移動していく。【００１１】図７に示すように、今まで握っていた左手を離し、手袋の袖口部分を持って下方へ引き下げることにより、手袋の指は完全に裏返る。【００１２】以上図面４〜図７までの手順を残り４指について繰り返すことにより作業は完了する。
【産業上の利用可能性】
【００１３】本考案に係る裏返し具は、工業的に量産することが可能であるため産業上の利用可能性を有する。
【符号の説明】
【００１４】１    丸棒（太）
２    丸棒（細）
３    台座
４    先端凹部
５    先端凸部
６    机など平面
【図１】
0003229856.tif 000003
【図２】
0003229856.tif 000004
【図３】
0003229856.tif 000005
【図４】
0003229856.tif 000006
【図５】
0003229856.tif 000007
【図６】
0003229856.tif 000008
【図７】
0003229856.tif 000009
【手続補正書】
【提出日】令和2年9月18日(2020.9.18)
【手続補正１】
【補正対象書類名】実用新案登録請求の範囲
【補正対象項目名】全文
【補正方法】変更
【補正の内容】
【実用新案登録請求の範囲】
【請求項１】
本考案は、使用時の安定性を保つための四角形の台座と、太さの違うプラスチック製等の丸棒二本構成から成り、前記丸棒二本は、それぞれの先端を凹凸状に加工しており、凹凸状の先端を合わせて一直線の状態で使用することを特徴とする手袋裏返し具である。
(57)【要約】      （修正有）【課題】便箋やノートなどの紙面に字を書くときカフスの留め具側が紙面に摺れる事無く、書き易くし、しかも生乾きインクで汚れたり擦り切れることの無い上着を提供する。【解決手段】前身頃１０１に両開き前立て１０６、１０８を有する上着において、袖１０４、１０５のカフス１１０、１１１の位置を手首位置より上方に離間した九分袖にした。【選択図】図１
0003229802.tif 000002
【実用新案登録請求の範囲】
【請求項１】
前身頃に両開き前立てを有する上着において、袖のカフスの位置を手首位置より上方に離間した九分袖にしたことを特徴とする上着。
【請求項２】
前記カフスを外側向きにしたことを特徴とする請求項１に記載の上着。
【考案の詳細な説明】
【技術分野】
【０００１】  本考案は、カッターシャツ（：ワイシャツとも言う）や一般のアンダーウエアーシャツ、ジャンパー等の前開きの両前身頃を有する上着に関する。。
【背景技術】
【０００２】  上着として例えばカッターシャツを例に詳説する。
カッターシャツは主に白や淡色で男性の背広の下に着用し、図２（１）（２）に示すカッターシャツＣＳ１のように、主に白や淡色で男性の背広の下に着用するものであり、前開きの前身頃１０１と後見頃１０２に衿１０３と両袖１０４，１０５を取り付け、前身頃１０１の図に向かって左側の見立て１０６にボタン１０７を付け、右側の見立て１０８にボタン穴１０９を設け、両袖の１０４，１０５のカフス（：袖口）０１１，０１２にボタン０１３，０１４を付けて着用するスタイルである。
一般的な着用スタイルとしては、ネクタイを着用するのが一般的だが、ビジネスの現場においてオープンカラーでの着こなしも一般的になってきている。
また、カフスはボタンで留めるだけでなく、カフスボタンを使用して留めることも可能なコンバーチブルタイプのカフスを選ぶとカッターシャツを華やかに演出することができる。【０００３】  ところでカフスは、カッターシャツやブラウスなどのシャツ、ジャケットやジャンパー、外套などの上着、カーディガンなどトップス全般、上下一体のものでもワンピースなどで、腕を通す袖の端を言う。長袖では手首が出る部分であり袖口とも言いう。
英語のｃｕｆｆ（複数形：ｃｕｆｆｓ）がそのまま片仮名で「カフ」、「カフス」として使われるが、日本ではこれらはカッターシャツの袖口を指すことが多い。袖と同じまま端を単に折り返して縫い、ほつれ止めしただけのものもあれば、長袖で、装飾や補強のために別に設えて縫い付けられたものもある。また、単に筒状ではなく、手首よりも大きな掌部分を通しやすいよう、また体温調節や汚れ防止のために捲り上げやすいよう、裁ち開かれてスリット状になっているものがある。そこを留めるためにはボタンやカフリンクス、スナップ、ファスナー、面ファスナーなどが用いられる。
【考案の概要】
【考案が解決しようとする課題】
【０００４】  カッターシャツＣＳ１のカフス０１１，０１２は、図２の（２）に示すように、腕を通した際裁ち開かれているところが後ろ向きになり、下腕を曲げた際下向きになり、これを止め具として前記のようにボタン０１３，０１４やカフリンクス、スナップ、ファスナー、面ファスナーなどを設けている。
このためこの留め具のボタン０１３，０１４の配置位置が、袖を通した腕の手首の真下になる為、例えば便箋やノートなどの紙面に字を書くときカフスの留め具側が紙面に摺れて、書きにくく甚だ不便である。しかも生乾きインクで汚れたり擦り切れたりする。このことはカフスが裁ち開かれてスリット状にして合わせてカフスボタンで留めて長く突出させたタイプのカフスの場合は顕著になる。
本考案は、便箋やノートなどの紙面に字を書くときカフスの留め具側が紙面に摺れる事無く、書き易くし、しかも生乾きインクで汚れたり擦り切れることの無い上着を提供する。
【課題を解決するための手段】
【０００５】  上記課題を満足させる本考案における主な技術構成は、次の（１）〜（２）の通りである。
（１）、前身頃に両開き前立てを有する上着において、袖のカフスの位置を手首位置より上方に離間した九分袖にしたことを特徴とする上着。
（２）、前記袖口を外側向きにしたことを特徴とする前記（１）に記載の上着。
【考案の効果】
【０００６】  本考案の九分袖の上着は、袖のカフスの留め具側は手首の真下からその上方位置に離間させたので、便箋やノートなどの紙面に字を書くとき、カフスの留め具側が紙面に摺れる事を防止して書き易くし、しかも紙面に書いて乾かないインクで汚れたり擦り切れることを無くしたものである。
またカフスの留め具側は、手首の真下からその上方位置に４〜６ｃｍ程度離間させると共に外側向き（横向き）にすることにより、カフスの留め具側が紙面に摺れる事を全く無くしたので書き易くし、しかも生乾きインクで汚れたり擦り切れることも皆無にするのである。
【図面の簡単な説明】
【０００７】
【図１】本考案の九分袖の上着としての実施例をカッターシャツで示す正面説明図である。
【図２】従来のカッターシャツを示す正面説明図（１）と背面説明図（２）である。
【考案を実施するための形態】
【０００８】  本考案を実施するための形態を図１に示す実施例により詳細に説明する。
図１において、本例のカッターシャツＣＳ２は主に白や淡色で男性の背広の下に着用するものであり、前開きの前身頃１０１と後見頃１０２に衿１０３と両袖１０４，１０５を取り付け、前身頃１０１の図に向かって左側の見立て１０６にボタン１０７を付け、右側の見立て１０８にボタン穴１０９を設け、両袖の１０４，１０５のカフス１１０，１１１にボタン１１２，１１３を付けて着用するスタイルである。
【０００９】  前記カッターシャツＣＳ２の両長袖１０４，１０５において、両長袖１０４，１０５のカフス１１０，１１１位置を手首位置より上方に４〜６ｃｍ程度離間させた九分袖にしたシャツである。
また前記カフス１１０，１１１の向きを外側向きに（：横向き）してある。
【００１０】  この九分袖のカッターシャツＣＳ２は、カフス１１０，１１１の留め具であるボタン１１２，１１３側が手首の真下からその上方に５ｃｍ程度離間させたので、便箋やノートなどの紙面に字を書くとき、カフスのボタン１１２，１１３側留め具が紙面に摺れる事を防止して書き易くし、しかも紙面に書いて乾かないインクで汚れたり擦り切れることを無くしたものである。
またカフス１１０，１１１のボタン１１２，１１３側は、横向き（外側向き）にすることにより、カフス１１０，１１１のボタン１１２，１１３側が紙面に摺れる事を全く無くしたので書き易くし、しかも生乾きインクで汚れたり擦り切れることも皆無にするが出来た。
【産業上の利用可能性】
【００１１】  本考案の上着は、前述の優れた作用効果を呈して一般家庭では勿論、被服産業に寄与と発展に貢献すること多大なものがある。
【符号の説明】
【００１２】  ＣＳ２：九分袖にしたカッターシャツ
１０１：前身頃
１０２：後見頃
１０３：衿
１０４，１０５：両袖
１０６：左側の見立て
１０７：ボタン
１０８：右側の見立て
１０９：ボタン穴
１１０，１１１：カフス
１１２，１１３：ボタン
【図１】
0003229802.tif 000003
【図２】
0003229802.tif 000004
(57)【要約】      （修正有）【課題】安定感と苦しくない着用感を可能にするフェイスマスク兼用タオルを提供する。【解決手段】タオル類（生地、手ぬぐい）の中心から２箇所、左右対称に約４ｃｍ程度の切れ込み（開口）を入れ、その穴に耳を通すことで安定感と苦しくない着用感を可能にした。【選択図】図１
0003229890.tif 000002
【実用新案登録請求の範囲】
【請求項１】
タオル類（生地、手ぬぐい）に２箇所の切れ込み（開口）を入れ、安定感と苦しくない着用感を可能にしたフェイスマスク兼用タオル。
【考案の詳細な説明】
【技術分野】
【０００１】本考案はタオルもしくは布に切込みをいれそこに耳を通す事で、簡単にマスク代わりになるように発案された物です。
【背景技術】
【０００２】従来はタオルをマスク代わりにする際は後ろで縛り固定させていた。
【考案の概要】
【考案が解決しようとする課題】
【０００３】後ろ縛りのみではきつく縛る必要があり口や鼻への圧迫があり呼吸もし辛いケースがあります。又タオルの長さや材質によっては安定感に欠けていた。
【課題を解決するための手段】
【０００４】タオル中央に切り込み（穴を空け）を２箇所いれ、そこに両耳を入れることで着用時の問題が解消されました。
【考案の効果】
【０００５】両方の耳でタオルを支える事で安定感が出ました。又きつく縛る必要が無いので息苦しさが無くなり、呼吸も楽になりました。首元にタオルをたらすことも出来るので、首元まで広範囲にサポート出来る事となりました。
【図面の簡単な説明】
【０００６】
【図１】タオルを平置きにした状態
【図２】着用時前
【図３】着用時後ろ
【考案を実施するための形態】
【０００７】  タオルの中心２箇所、左右対称に約４ｃｍ程度の切込みを入れます。この幅は顔のサイズ（子供、小顔、大人）により異なる為、サイズ別に設定します。切込みを両耳に入れ、バランスを保ちます。着用の状況次第残った左右の生地を結ぶなどして、着用感を調整します。
【実施例】
【０００８】タオルのサイズは現在９０×３０ｃｍに設定していますが、このタオルのサイズは任意に調整可能です。ポインとは耳に穴（開口部※１）をフィットさせる事、息苦しさが無いように鼻や口に圧迫感が無い事、安定するように左右の生地（※２）を後ろで縛り利用者が調整することなどが挙げられます。
【符号の説明】
【０００９】１  開口穴
２  タオル残り部分
【図１】
0003229890.tif 000003
【図２】
0003229890.tif 000004
【図３】
0003229890.tif 000005
【手続補正書】
【提出日】令和2年9月18日(2020.9.18)
【手続補正１】
【補正対象書類名】実用新案登録請求の範囲
【補正対象項目名】全文
【補正方法】変更
【補正の内容】
【実用新案登録請求の範囲】
【請求項１】
タオル類（生地、手ぬぐい）の中心から２箇所、左右対称に約４ｃｍ程度の切れ込み（開口）を入れ、その穴に耳を通すことで安定感と苦しくない着用感を可能にしたフェイスマスク兼用タオル。
(57)【要約】      （修正有）【課題】キャリーバッグ等をもった状態でもコーヒーカップやスマートフォンをすぐに取り出せる状態で、持ち運ぶ事ができるドリンクホルダー兼バッグを提供する。【解決手段】キャリーケース等に装着する第１固定部１と、第１固定部に第２回転軸２で連結される第３固定部３と、第３固定部に第４回転軸４、５で連結される第５固定部６とを有し、使用時には、第２回転軸と第４回転軸により、第５固定部に収納されるドリンクやその他対象物が、常に垂直を保ち、安定してドリンクやその他対象物を運ぶ事ができる。【選択図】図１
0003229864.tif 000002
【実用新案登録請求の範囲】
【請求項１】
旅行用キャリーケース等に装着する第１固定部（１）と、この第１固定部（１）を接続する第２回転軸（２）で連結される第３固定部（３）、そして、第３固定部に第４回転軸（４）（５）で連結される第５固定部（６）とを有し、ドリンクホルダー兼バッグの使用時には第２回転軸（２）と第４回転軸（４）（５）により、第５固定部（６）に収納されるドリンクやその他対象物が、常に垂直を保ち、安定してドリンクやその他対象物を運ぶ事ができることを特徴とするドリンクホルダー兼バッグ。
【請求項２】
旅行用キャリーケースが斜めに傾いている状態でも、取り付けたドリンクホルダー兼バッグが第２回転軸（２）と第４回転軸（４）（５）により、第５固定部（６）に収納されるドリンクやその他対象物が、常に垂直を保ち、安定してドリンクやその他対象物を運ぶ事ができることを特徴とする請求項１に記載のドリンクホルダー兼バッグ。
【請求項３】
旅行用キャリーケースを横に倒した状態でも、取り付けたドリンクホルダー兼バッグが第２回転軸（２）と第４回転軸（４）（５）により、第５固定部（６）に収納されるドリンクやその他対象物が、常に垂直を保ち、安定してドリンクやその他対象物を運ぶ事ができることを特徴とする請求項１または２に記載のドリンクホルダー兼バッグ。
【請求項４】
ズボンや衣服に取り付けられた状態でも、取り付けたドリンクホルダー兼バッグが第２回転軸（２）と第４回転軸（４）（５）により、第５固定部（６）に収納されるドリンクやその他対象物が、常に垂直を保ち、安定してドリンクやその他対象物を運ぶ事ができることを特徴とする請求項１または２、３に記載のドリンクホルダー兼バッグ。
【請求項５】
バッグ部分の取り外しが可能な機構であり、第５固定部（６）にドリンクを設置した状態でも、取り付けたドリンクホルダー兼バッグが第２回転軸（２）と第４回転軸（４）（５）により、第５固定部（６）に収納されるドリンクやその他対象物が、常に垂直を保ち、安定してドリンクやその他対象物を運ぶ事ができることを特徴とする請求項１または２、３、４に記載のドリンクホルダー兼バッグ。
【考案の詳細な説明】
【技術分野】
【０００１】  この考案は、バッグやドリンクホルダー等に関する。
【背景技術】
【０００２】  近年、スマートフォンやモバイルバッテリー等、外に出かける際に持ち運ぶモノが急速に増加している。人間の手は通常２本しかなく、キャリーバッグ、スマートフォン、コーヒーカップ、モバイルバッテリー等を両手に持って移動するのが非常に困難な状況になってきている。そこで、キャリーバッグ等をもった状態でもコーヒーカップやスマートフォンをすぐに取り出せる状態で、持ち運べる必要性が出てきている。例えば、以前世の中には、今回の問題に対して解決をさせようと試みた製品があったが、例えば、珈琲カップをバッグに固定した際に、常に重力と平行する機構がなく、移動中に珈琲が溢れてしまい、本来の性能を発揮する事ができなかった。今回発案した「ドリンクホルダー兼バッグ」は、回転軸を２つ備え、その回転軸により、対象物となるドリンクやスマートフォン等が常に重力と平行に保たれる為、安定して移動ができる。
【考案の概要】
【考案が解決しようとする課題】
【０００３】  既存のドリンクホルダーは、回転軸が１つしか無く、且つ、キャリーケース等との固定部が２箇所で支えられていたため、常に重力方向と平行にならずに、ドリンクが溢れてしまう、対象物が落下してしまう問題が生じていた。
【課題を解決するための手段】
【０００４】  そこで、この考案においては、キャリーバッグ等の対象物に第１固定部（１）を装着するとともに、この第１固定部（１）に連接された第３固定部（３）、第５固定部（６）それに、第２回転軸（２）と第４回転軸（４）（５）により、ドリンクケース兼バッグが常に重力に平行に存在する様な機構とした。
【考案の効果】
【０００５】  そこで、この考案は、ドリンクやその他対象物を運ぶ際に、第１固定部（１）が保持されているモノに関わらず、ドリンクケース兼バッグが常に重力に平行に存在する為、キャリーケースを利用した移動中等においても、ドリンクが溢れることなく、且つ対象物が落下することがない。
【図面の簡単な説明】
【０００６】
【図１】本願考案に係るドリンクホルダー兼バッグの第一実施形態を示す図である。
【図２】図１に示すドリンクホルダー兼バッグをキャリーバッグに取り付け移動中の使用状態を示す図である。
【図３】図１に示すドリンクホルダー兼バッグをキャリーバッグに取り付け横に倒した使用状態を示す図である。
【図４】図１に示すドリンクホルダー兼バッグをズボン等の衣服に取り付けた使用状態を示す図である。
【図５】本願考案に係るドリンクホルダー兼バッグのドリンクホルダーに特化した第二実施形態を示す図である。
【符号の説明】
【０００７】１  固定部
２  回転軸
３  固定部
４  回転軸
５  回転軸
６  固定部
【図１】
0003229864.tif 000003
【図２】
0003229864.tif 000004
【図３】
0003229864.tif 000005
【図４】
0003229864.tif 000006
【図５】
0003229864.tif 000007
(57)【要約】      （修正有）【課題】薬使用者の飲み忘れ・飲み間違えを防ぎ、介護者の負担を軽減し、旅行・出張また予想される災害に備え、必要日数分の薬を用意出来る携帯用薬入れ容器を提供する。【解決の手段】携帯用薬入れ容器は、箱型のプラスチック容器で、錠剤・カプセル錠を収納部１から蓋２をヒンジ部３を介して薬の出し入れが出来る。蓋２は透明で薬収納部が外部から確認でき、蓋２には透明の曜日・使用時（朝・昼・夕・寝る前）を印刷した用紙を貼る事により使用者・介護者が迷うことなく安心して使用できる。【選択図】図１
0003229861.tif 000002
【実用新案登録請求の範囲】
【請求項１】
薬を収納する薬収納部を有する箱型状の複数の薬入れ容器であって、該薬入れ容器はその一方の側面に係止部が設けられるとともに、他方の側には前記係止部に係合される係合部が設けられており、この係合部と前記係止部との係合によって前記薬入れ容器がそれぞれ係合されることを特徴とする薬入れ容器。
【請求項２】
前記箱型状の薬入れ容器は、その内部が仕切板で仕切られて、複数の収納部が形成され、この収納部はそれぞれ蓋部材によって開閉可能とされている事を特徴とする請求項１記載の薬入れ容器。
【考案の詳細な説明】
【技術分野】
【０００１】本考案は薬収納部を上下・左右を仕切板で仕切られた薬収納部１日分（４ヶ所）を設け、保存できる薬入れ容器。【０００２】容器の蓋は透明な樹脂で出来、その蓋に曜日と服用時（朝・昼・夕・寝る前）の名称を印刷した透明の用紙を貼る事で、薬収納部の中の状態が確認出来る。
【考案概要】
【考案が解決しようとする課題】
【０００３】薬を服用する人が飲み忘れ・飲み間違えを防ぎ、また予想される災害時に対応する事のできる携帯用薬入れ容器。
【課題を解決するための手段】
【０００４】本体に１日分（朝・昼・夕・寝る前）４ヶ所の薬収納部を設け薬（錠剤・カプセル）を所定期間保存出来安心して使用できる。
服用者の身近に置くか、災害時・旅行・出張等で外出するときに必要な日数分を携行することができる。
【考案の効果】
【０００５】服用者及び介護者が必要日数分の薬を、該薬入れ容器に入れ、身近に置くか、また旅行・出張時に携行するか、災害時の避難袋に用意し服用することが出来る。
【図面の簡単な説明】
【０００６】
【図１】  本考案の実施例を示す全体図（３日分）
【図２】  本考案の実施例を示す斜視図
【図３】  本考案の主要の分解図
【図４】  本考案の蓋を上げた斜視図
【考案を実施するための形態】
【０００７】本考案の実施例に基づいて説明する。
薬入れ容器体Ａ−１は、箱状に形成されている。この薬入れ容器は複数の容器で構成されている。そしてこの容器体Ａ−１の一方側の側面には、布ファスナーで構成された係止部４が２ケ所取り付けられている。この薬入れ容器体Ａ−１の係止部４がある側面と他の薬入れ容器Ａ−２の５がある側面とが合わされることによって、複数の薬入れ容器が結合される事になる。
【０００８】当該容器体と同型の容器体（Ａ−１〜Ａ−７）は上記係合部により複数取り付け・取り外しが可能になる。
【０００９】蓋２はヒンジ部３を介して上方に上げる事により、薬の出し入れが容易にできる。
【００１０】該容器体は仕切板６により左右に又仕切板７により上下に仕切られ、薬入れ容器体を４ヶ所の薬入れ収納部に分かれている。
蓋２を開ける際に使用する爪掛け部８が設けられている。
【符号の説明】１  薬収納部
２  薬収納部の蓋
３  ヒンジ部
４  係止材収納部
５  係合材収納部
６  薬収納部左右仕切板
７  薬収納部上下仕切板
８  爪掛け部
【図１】
0003229861.tif 000003
【図２】
0003229861.tif 000004
【図３】
0003229861.tif 000005
【図４】
0003229861.tif 000006
(57)【要約】      （修正有）【課題】安価で、取り付けも簡単な水田の水管理を自動で行う装置を提供する。【解決手段】水田の水管理を自動で行う装置は、２個の塩ビ管の側面に穴をあけ、１個は固定弁１、もう１個は回転弁２とし、各弁を縦に切断して外径を小さくする。回転弁２は固定弁１より多く切断して固定弁１内部に挿入される。これらを塩ビのチーズ継ぎ手３内部に挿入して、回転弁２をモーター４で回転することにより、側面の穴が同じ位置に来ると穴から水が流れるようになり、穴が合わない位置に来ると水が止まる。水位の下限と上限を設定つまみ６、７で設定することにより、設定内で自動で水を管理する。手動で給水、止水ができ、また水が無くなっても給水しない設定も出来る。取り付けも簡単で塩ビ管に差し込むだけであり、維持費も年間単３乾電池８個分のみで、弁が回転する時のみ電気を使う。【選択図】図２
0003229575.tif 000002
【実用新案登録請求の範囲】
【請求項１】
２個の塩ビ管の側面に穴をあける、１個は固定弁、もう１個は回転弁とする。
各弁を縦に切断して外径を小さくする、回転弁は固定弁より多く切断して固定弁内部に挿入できるようにする。これらを塩ビのチーズ継ぎ手内部に挿入する。
回転弁を回転（又は上下）することにより側面の穴が同じ位置に来ると穴から水が流れるようになり、穴が合わない位置に来ると水が止まる。
【請求項２】
水位センサーは、浮きを利用する、田圃の水位が上がり上限センサーの２つのマイクロスイッチに浮きの先端が接触すると電気が流れモーターが左回転し、回転弁を水が止まる位置まで回転させ、停止のリミットスイッチに接触して装置を停止させる。
水位が下がって浮きが下限センサーの２つのマイクロスイッチに接触すると反対の電気が流れてモーターが右回転をして、回転弁を水を入れる位置まで回転させ、水を給水する。この繰り返しで水田の水を設定した水位にコントロールする。
モーターを逆回転させるのに図３の様にマイクロスイッチ６個を使った電気配線図になっています。
【考案の詳細な説明】
【技術分野】
【０００１】  本考案は、稲作が始まって１４００年間、人力で毎日朝晩行っていた水の管理を自動で行う装置です。
【背景技術】
【０００２】  近代農業において機械化が進んでいる中この水管理だけは人力に頼ってきました。
これまでいろんな装置が開発されていますが、田圃ごとに取り付けますが米６０キログラム２万円台の金額では個人の農家では普及しませんでした。この頃は農業法人が沢山でき１法人でたくさんの農地を管理するようになり人手が足りません。この装置は安価で、取り付けも簡単にできます。
【考案の概要】
【０００３】  固定弁、１と回転弁，２を組み立て塩ビのチーズ継手，３に入れる、回転弁，２を回転させるモーターと減速機、４を軸とアームでつないだ本体と。田んぼに取り付けて水位を感知する浮きを利用した水位確認センサー、５より成、これらを電線、９でつないであります。電源は単３乾電池８本、１２ボルトで駆動します。センサーは水位を感知して水を入れる下限設定つまみ、７と、水を止める上限設定つまみ，６があります。下限設定つまみ、７は１ｃｍ〜６ｃｍの間で設定。上限設定つまみ，６は３ｃｍ〜９ｃｍの間で任意に設定できます。この設定内で水を自動で管理します。手動で水止め、手動で給水も出来ます、水が無くなっても給水しない設定も出来ます。回転弁が回転する時だけ電気を使います。
【図面の簡単な説明】
【０００４】
【図１】固定弁と回転弁の鳥観図
【図２】本体とセンサーの使用状態を示す側面図
【図３】電気配線図
【符号の説明】１  固定弁
２  回転弁
３  塩ビのチーズ継手
４  モーターと減速機
５  センサー本体
６  上限設定つまみ、と、マイクロスイッチ
７  下限設定つまみ、と、マイクロスイッチ
８  浮き
９  電源ケーブル
１０−ａ  右回転を止めるマイクロスイッチ
１０−ｂ  左回転を止めるマイクロスイッチ
１１  田圃の水位
１２  用水路
１３  水の流れ
１４  用水路の塩ビ管
【図１】
0003229575.tif 000003
【図２】
0003229575.tif 000004
【図３】
0003229575.tif 000005
【手続補正書】
【提出日】令和2年9月7日(2020.9.7)
【手続補正１】
【補正対象書類名】実用新案登録請求の範囲
【補正対象項目名】全文
【補正方法】変更
【補正の内容】
【実用新案登録請求の範囲】
【請求項１】
２個の塩ビ管の側面に穴をあける、１個は固定弁、もう１個は回転弁とし、各弁を縦に切断して外径を小さくする、回転弁は固定弁より多く切断して固定弁内部に挿入できるようにする、これらを塩ビのチーズ継ぎ手内部に挿入して、回転弁をモーターで回転することにより側面の穴が同じ位置に来ると穴から水が流れるようになり、穴が合わない位置に来ると水を止める構造とした、水田の水管理を自動で行う装置。
【請求項２】
水位センサーは、浮きを利用する、田圃の水が蒸発などで水位が下がって浮きが下限センサーの２つのマイクロスイッチに接触すると電気が流れてモーターが右回転をして、回転弁を水を入れる位置まで回転させ、水を給水する、同時に停止用のリミットスイッチに接触して回転弁を給水の状態で停止させる、給水が続き水位が上昇して浮きが上がり、上限センサーの２つのマイクロスイッチに浮きの先端が接触すると逆の電気が流れモーターが左回転し、回転弁を水が止まる位置まで回転させて止まる、この繰り返しで水田の水管理を自動で行う装置。
(57)【要約】      （修正有）【課題】安価かつ既存窓の利用を妨げない電飾広告物を提供する。【解決手段】安価に入手可能であり、柔軟性のあるロールカーテン等の布製品４と、ＬＥＤモジュール３を組み合わせ、これを柔軟かつ薄型の発光体とし、窓に貼付可能な電飾用フィルム２を用いた広告物を窓１に貼付け、発光体を背後に設置することで、安価かつ窓の利用を妨げない電飾広告物を実現する。【選択図】図３
0003229574.tif 000002
【実用新案登録請求の範囲】
【請求項１】
柔軟性のあるロールカーテン等の布製品の一面に，ＬＥＤモジュールを組み合わせ，柔軟かつ薄型の発光体とし，貼付可能な電飾用のフィルムを用いて作成した広告物を，店舗等の既存の窓に貼付け，前記の発光体を背面に設置することで，既存の窓の利用を維持しながら，安価に設置することができることを特徴とする電飾広告物である。
【考案の詳細な説明】
【技術分野】
【０００１】  本考案は，布製品とＬＥＤモジュールを組み合わせた発光体と既存窓を利用した電飾広告物に関するものである。
【背景技術】
【０００２】  窓に設置するタイプの従来型の電飾広告物は，固定式で嵩張る上，その製作や設置取付けにも，多大なコストと労力を要するほか，電飾広告物を設置することにより，既存窓の使用も妨げていた。
【考案の概要】
【考案が解決しようとする課題】
【０００３】  本考案は，従来型の電飾広告物の製作・設置が高コストである上，既存窓を利用できなくなる欠点につき，解決しようとするものである。
【課題を解決するための手段】
【０００４】  本考案は，安価に入手可能であり，柔軟性のあるロールカーテン等の布製品と，光が四方に拡散するＬＥＤモジュールを組み合わせることで，柔軟かつ薄型の発光体を製作することが可能である。
その上で，窓に貼付可能な電飾用のフィルムを用いて作成した広告物を貼り付け，柔軟かつ薄型の上記発光体を背後に設置することで，窓の利用を妨げない電飾広告物が実現し，上記欠点を解決している。
【考案の効果】
【０００５】  この方法を用いれば，製作・設置のコスト等を抑えながら，窓の利用を妨げず，手軽に，昼夜を問わず明るく発光する電飾広告物の設置を可能とする。
【図面の簡単な説明】
【０００６】
【図１】本考案に基づく電飾広告物のＬＥＤモジュールの配置図である。
【図２】本考案における既存窓と各部材の組合せ方法を示す図である。
【図３】本考案に基づく電飾広告物の実施例を示す側面図である。
【考案を実施するための形態】
【０００７】  柔軟性のあるロールカーテン等の布製品に，ＬＥＤ用配線及びＡＣプラグと接続したＬＥＤモジュールを適切に配置し，これを窓上部のカーテンレール等から吊り下げる。
貼付可能な電飾用のフィルムに，広告を印刷し、窓に貼付け，ＬＥＤモジュールを点灯させることにより，ＬＥＤモジュールから発光された光を貼付可能な電飾用のフィルムに透過させることで，昼夜を問わず，外部に明るく表示される。
【実施例】
【０００８】  以下，添付図面に従って実施例を説明する。［図１］のように，▲４▼上に，▲３▼，▲５▼及び▲６▼を配置し，［図２］の順序で，▲１▼，▲２▼及び▲４▼を組み合わせると，［図３］が示すとおりとなり，▲３▼を点灯させることで，▲２▼が▲１▼の外部に昼夜を問わず，明るく表示され，▲４▼に柔軟性があることから，▲１▼自体の開閉等も自在である。
【産業上の利用可能性】
【０００９】  テナントビルに入居する事業者等（飲食店，医療機関等）が既存窓に設置する電飾広告物として，広く利用可能である。
【符号の説明】
【００１０】▲１▼  窓のガラス面
▲２▼  貼付け可能の電飾用のフィルム
▲３▼  ＬＥＤモジュール
▲４▼  柔軟性のあるロールカーテン等の布製品
▲５▼  ＬＥＤ用配線
▲６▼  ＡＣプラグ
【図１】
0003229574.tif 000003
【図２】
0003229574.tif 000004
【図３】
0003229574.tif 000005
【手続補正書】
【提出日】令和2年9月3日(2020.9.3)
【手続補正１】
【補正対象書類名】実用新案登録請求の範囲
【補正対象項目名】全文
【補正方法】変更
【補正の内容】
【実用新案登録請求の範囲】
【請求項１】
貼付可能な電飾用フィルムにより作成した広告物を貼り付けた窓の室内側天井部に取付金具を設け，同取付金具から，ＬＥＤモジュールを粘着テープ等で等間隔に張り付けた柔軟性のあるロールカーテン等を吊り下げ，既存窓の利用を維持し，安価に設置可能としたところを特徴とする電飾広告物
(57)【要約】      （修正有）【課題】人体の骨格の形状に合ったものが形成され、表面が座骨等の形状に変化し、椅子と臀部の体圧が分散される座布団を提供する。【解決手段】座布団は、二枚の裁断された生地を縫い合わせ縫い目を入れることで二室を形成し、短く切ったパイプ等流動する中材９、１０を充填し、さらに一枚の裁断された生地を縫い付け一室を形成し、綿、ウレタン樹脂、立体型糸状素材等１１を充填する。【選択図】図５
0003229579.tif 000002
【実用新案登録請求の範囲】
【請求項１】
二枚の裁断された生地を縫い合わせ袋状にしたのち内部に曲線と直線の縫い目を施したのちさらに布生地を縫い合わせ後中材を充填した座布団
【考案の詳細な説明】
【技術分野】
【０００１】本考案は椅子に座った時、腰部を安定的に支え筋肉の緊張を軽減し身体全体への負担を減らし長時間の座位を可能にする
【背景技術】
【０００２】座布団の素材は綿、ウレタン樹脂、立体型糸状素材など単一材料により作成された物が開示されている
【考案の概要】
【考案が解決しようとする課題】
【０００３】一般的に古来より製造販売されている座布団は中央部分が高く中央部分より離れるほど低くなり、特に四隅の角部分は低くなる
又は全面が平面の為骨格を考慮した安定的に腰部を支える機能をはたしていないことが多々ある
【課題を解決するための手段】
【０００４】請求項１に記載の考案は裁断された二枚の生地を縫い合わせ袋状にしたのち二本の曲線縫い目と三本の直線縫い目を施し区分された二室に短く切ったパイプ等の中材を充填する
さらに裁断された一枚の生地を縫い合わせて綿、ウレタン樹脂立体型糸状素材などを充填し中材が流出しないように縫製を施した座布団である
【考案の効果】
【０００５】座布団に使用されている生地に曲線と直線の縫い目を施すことにより部分ごとで厚みが変わり人の座骨の形状にあったものが形成されまた短く切ったパイプなど流動する充填材により表面が座骨等の形状に変化し椅子と臀部の体圧が分散される
【図面の簡単な説明】
【０００６】
【図１】二枚の裁断された生地の周りに縫製を施した図
【図２】二か所の曲線縫い目と三か所の直線縫い目を施した図
【図３】さらに裁断された生地を縫い合わせ区分された二室に短く切ったパイプ等素材を充填した図
【図４】綿、ウレタン樹脂、立体型糸状素材を充填し縫製を施した図
【図５】模式的に断面にして示す図
【符号の説明】
【０００７】［図１］
１生地の周りの縫製の縫い目
［図２］
２曲線の縫い目
３、４、５直線の縫い目
［図３］
６，７短く切ったパイプ素材を充填した部分
［図４］
８綿、ウレタン樹脂、立体型糸状素材を充填後の縫い目
［図５］
９、１０短く切ったパイプ素材
１１綿、ウレタン樹脂、立体型糸状素材
【図１】
0003229579.tif 000003
【図２】
0003229579.tif 000004
【図３】
0003229579.tif 000005
【図４】
0003229579.tif 000006
【図５】
0003229579.tif 000007
【手続補正書】
【提出日】令和2年9月3日(2020.9.3)
【手続補正１】
【補正対象書類名】実用新案登録請求の範囲
【補正対象項目名】全文
【補正方法】変更
【補正の内容】
【実用新案登録請求の範囲】
【請求項１】
二枚の生地を縫い合わせ曲線ステッチが施された中に
パイプ状の充填材が入った袋に、
さらに一枚の生地を縫い付け板状の充填材を入れた
複数素材により形成された座布団。